(57)【要約】【課題】受信性能を低下させることなく省電力化を図る。【解決手段】受信信号品質判定部１１１にて受信信号の品質を判定するとともに、レベル検波部１０９ａ及び１０９ｂにて、２つの受信系統の受信信号をそれぞれ検波して受信信号レベルを求める。受信系統制御部１１０は、受信信号レベルがｎ−１系統以下でも受信に十分なレベルを確保できる場合又は受信信号品質の判定結果が所定の規定値以上である場合、全受信系統のうち任意のものを非動作にし、当該全受信系統を非動作にした後、受信信号品質の判定結果が規定値以下になると、非動作中の任意の受信系統を動作させる。【選択図】　図１
2004104669.tif 000002
【特許請求の範囲】
【請求項１】
ｎ（ｎ≧２の整数）系統の受信系統を具備する受信装置において、
受信信号の品質を判定する受信信号品質判定手段と、
各受信系統の受信信号をそれぞれ検波する複数のレベル検波手段と、
前記複数のレベル検波手段で検出された各受信信号レベルがｎ−１系統以下でも受信に十分なレベルを確保できる場合又は前記受信信号品質判定手段の受信信号品質判定結果が所定の規定値以上である場合、全受信系統のうち任意のものを非動作にする受信系統制御手段と、
を具備することを特徴とする受信装置。
【請求項２】
前記受信系統制御手段は、全ての受信系統のうち少なくとも１つを非動作にした後、前記受信信号品質判定結果が規定値以下になると、非動作中の任意の受信系統を動作させることを特徴とする請求項１記載の受信装置。
【請求項３】
選択された受信系統を指定する情報を記憶する記憶手段を具備し、前記受信系統制御手段は、全ての受信系統のうち少なくとも１つを非動作にした後、前記受信信号品質判定結果が規定値以下になると、前記記憶手段に記憶された情報を元に直前に非動作とした受信系統のみを動作させることを特徴とする請求項１記載の受信装置。
【請求項４】
前記複数のレベル検波手段のレベル検出結果を比較する比較手段を具備し、前記受信系統制御手段は、前記比較手段における比較結果より全受信系統のうち常に最小のレベル検波出力が得られる受信系統を選択して非動作状態とすることを特徴とする請求項１から請求項３のいずれか一項に記載の受信装置。
【請求項５】
前記受信系統制御手段は、電源投入時の未動作状態からの立ち上がりの一定期間において、全ての受信系統を動作状態にすることを特徴とする請求項１から請求項４のいずれか一項に記載の受信装置。
【請求項６】
受信信号レベルの変化量を検出するレベル変化量検出手段と、受信信号レベルの変化量が規定のレベル以内に収束したかを判定するための変化量判定手段とを具備し、前記受信系統制御手段は、電源投入時の未動作状態からの立ち上がりの間に受信信号レベルの変化量が所定値以内に収まるまでの期間、全ての受信系統を動作状態にすることを特徴とする請求項１から請求項４のいずれか一項に記載の受信装置。
【請求項７】
前記受信系統制御手段は、電源投入時の未動作状態からの立ち上がりの間に前記受信信号品質判定手段の判定結果より受信信号品質値が所定値以上になるまでの期間、全ての受信系統を動作状態にすることを特徴とする請求項１から請求項４のいずれか一項に記載の受信装置。
【請求項８】
前記受信系統制御手段は、間欠受信時の未動作状態からの立ち上がりの一定期間において、全ての受信系統を動作状態にすることを特徴とする請求項１から請求項４のいずれか一項に記載の受信装置。
【請求項９】
受信信号レベルの変化量を検出するレベル変化量検出手段と、受信信号レベルの変化量が規定のレベル以内に収束したかを判定するための変化量判定手段とを具備し、前記受信系統制御手段は、間欠受信時の未動作状態からの立ち上がりの間に前記変化量判定手段の判定結果から受信信号レベルの変化量が所定値以内に収まるまでの期間、全ての受信系統を動作状態にすることを特徴とする請求項１から請求項４のいずれか一項に記載の受信装置。
【請求項１０】
前記受信系統制御手段は、間欠受信時の未動作状態からの立ち上がりの際に、前記受信信号品質判定手段の判定結果より受信信号品質値が所定値以上になるまでの期間、全ての受信系統を動作状態にすることを特徴とする請求項１から請求項４のいずれか一項に記載の受信装置。
【請求項１１】
請求項１から請求項１０のいずれか一項に記載の受信装置を具備することを特徴とする無線通信装置。
【請求項１２】
ｎ（ｎ≧２の整数）系統の受信系統を具備する受信装置における受信制御方法であって、受信信号の品質を判定するとともに、各受信系統の受信信号をそれぞれ検波して受信信号レベルを求め、受信信号レベルがｎ−１系統以下でも受信に十分なレベルを確保できる場合又は受信信号品質の判定結果が所定の規定値以上である場合、全受信系統のうち任意のものを非動作にし、当該全受信系統を非動作にした後、受信信号品質の判定結果が規定値以下になると、非動作中の任意の受信系統を動作させることを特徴とする受信制御方法。
【発明の詳細な説明】
【０００１】
【発明の属する技術分野】
本発明は、複数の受信系統を備えた受信装置及び受信制御方法に関する。
【０００２】
【従来の技術】
従来、複数の受信系統を備えた受信装置として、例えば図１７に示す構成のものがある。この図に示す受信装置は、２つの受信系統を備えたものであり、受信を行うためのアンテナ１０１ａ及び１０１ｂと、高周波帯のバンドパスフィルタ（ＢＰＦ）１０２ａ及び１０２ｂと、低雑音増幅器１０３ａ及び１０３ｂと、高周波より中間周波数帯に周波数変換するダウンミキサ１０４ａ及び１０４ｂと、中間周波数帯のバンドパスフィルタ（ＢＰＦ）１０５ａ及び１０５ｂと、可変利得増幅器１０６ａ及び１０６ｂと、復調器（ＤＥＭＯＤ）１０７ａ及び１０７ｂとを備えている。復調器１０７ａ及び１０７ｂの復調器出力ＲＤａ及びＲＤｂはベースバンドブロック１０８に入力される。
【０００３】
次に、上記構成の受信装置の動作について説明する。まず、アンテナ１０１ａ及び１０１ｂによって無線信号（ここでは、例えば２［ＧＨｚ］帯の信号を想定する）が受信される。受信された無線信号は高周波用のバンドパスフィルタ１０２ａ及び１０２ｂによって、希望の周波数帯以外の信号成分が減衰させられる。バンドパスフィルタ１０２ａ及び１０２ｂを通過した信号は低雑音増幅器１０３ａ及び１０３ｂによって増幅された後、ダウンミキサ１０４ａ及び１０４ｂによって中間周波数帯（例えば３８０［ＭＨｚ］）に周波数変換される。
【０００４】
そして、中間周波数用のバンドパスフィルタ１０５ａ及び１０５ｂにおいて受信希望チャネル成分以外が減衰されて、可変利得増幅器１０６ａ及び１０６ｂにて常にベースバンドブロック１０８に最適なレベルの信号が入力される様に利得制御が行われる。そして、復調器１０７ａ及び１０７ｂに入力された後に復調されてベースバンド信号として出力される。以降、信号処理が行われる。
【０００５】
図１７に示す受信装置では受信系統を２系統で備えているので、２系統分の受信信号が常に得られることから、特に電界レベルの低い場合や受信信号の伝搬状態が悪く受信レベルの変動が大きい時やフェージング環境時などに有利である。
【０００６】
【発明が解決しようとする課題】
しかしながら、従来の受信装置においては、受信系統がｎ−１系統（ｎは２以上の正整数）の受信系統にて受信電界レベルが十分得られ、または受信信号が安定して得られる環境における受信の場合、ｎ系統すべての受信系統を動作させておくことは消費電流的に不利となる問題がある。
【０００７】
本発明は係る点に鑑みてなされたものであり、受信性能を低下させることなく省電力化が図れる受信装置及び受信制御方法を提供することを目的とする。
【０００８】
【課題を解決するための手段】
請求項１に係る発明の受信装置は、ｎ（ｎ≧２の整数）系統の受信系統を具備する受信装置において、受信信号の品質を判定する受信信号品質判定手段と、各受信系統の受信信号をそれぞれ検波する複数のレベル検波手段と、前記複数のレベル検波手段で検出された各受信信号レベルがｎ−１系統以下でも受信に十分なレベルを確保できる場合又は前記受信信号品質判定手段の受信信号品質判定結果が所定の規定値以上である場合、全受信系統のうち任意のものを非動作にする受信系統制御手段とを具備することを特徴とする。
【０００９】
この構成によれば、受信信号の状態により、そのレベルが小さくｎ−１以下の系統では受信に十分なレベルが確保できず、また、フェージング環境内での受信時における場合等の受信信号のレベル変動が大きい場合など、受信信号品質が確保できず、ｎ系統の受信系統を動作させておく必要があると判断した場合は、ｎ個全ての受信系統を動作させるので、安定した受信動作を確保することができる。
【００１０】
また、逆に電界の状態が安定し、受信レベル変動が小さい場合で、各々の受信系統毎の受信信号レベル信号や受信信号品質により、ｎ系統の受信系統を動作させておく必要がないと判断した場合は必要でない受信系統を任意に判断し、判断した受信系統を非動作状態にするので、省電力化が図れる。
【００１１】
請求項２に係る発明の受信装置は、請求項１に係る発明の受信装置において、前記受信系統制御手段は、全ての受信系統のうち少なくとも１つを非動作にした後、前記受信信号品質判定結果が規定値以下になると、非動作中の任意の受信系統を動作させることを特徴とする。
【００１２】
この構成によれば、ある受信系統の受信品質が劣化した場合、任意の受信系統を動作状態にするので、受信信号品質を改善することができる。
【００１３】
請求項３に係る発明の受信装置は、請求項１に係る発明の受信装置において、選択された受信系統を指定する情報を記憶する記憶手段を具備し、前記受信系統制御手段は、全ての受信系統のうち少なくとも１つを非動作にした後、前記受信信号品質判定結果が規定値以下になると、前記記憶手段に記憶された情報を元に直前に非動作とした受信系統のみを動作させることを特徴とする。
【００１４】
この構成によれば、ある受信系統の受信品質が劣化し、更に受信系統が必要と判断された場合、その直前に非動作状態にした受信系統を動作状態にするので、受信信号品質を改善させることができる。
【００１５】
請求項４に係る発明の受信装置は、請求項１から請求項３のいずれか一項に係る発明の受信装置において、前記複数のレベル検波手段のレベル検出結果を比較する比較手段を具備し、前記受信系統制御手段は、前記比較手段における比較結果より全受信系統のうち常に最小のレベル検波出力が得られる受信系統を選択して非動作状態とすることを特徴とする。
【００１６】
この構成によれば、受信信号品質情報からｎ系統の受信系統を動作させておく必要がないと判断された場合は、それぞれの受信系統の受信信号レベルを比較することにより、最小のレベルを受信している系を選択して非動作状態としたり、またはレベルの大きい順にｍ（ｍはｍ＜ｎなる整数）系統の受信系統を選択して、その他必要でないと判断された受信系統を非動作状態にすることができるので、省電力化が図れる。
【００１７】
請求項５に係る発明の受信装置は、請求項１から請求項４のいずれか一項に係る発明の受信装置において、前記受信系統制御手段は、電源投入時の未動作状態からの立ち上がりの一定期間において、全ての受信系統を動作状態にすることを特徴とする。
【００１８】
この構成によれば、電源投入時の未動作時から動作時の立ち上がりの一定期間、全ての受信系統を動作状態にしておくので、電源立ち上げ動作時の受信信号レベルの変動幅が大きいことが予想される場合においてもｎ系統の受信系統を動作させて安定した受信動作を得ながら、立ち上がり後の一定期間後の動作については上記請求項１から請求項４のいずれか一項に係る発明の受信装置と同様の効果が得られる。
【００１９】
請求項６に係る発明の受信装置は、請求項１から請求項４のいずれか一項に係る発明の受信装置において、受信信号レベルの変化量を検出するレベル変化量検出手段と、受信信号レベルの変化量が規定のレベル以内に収束したかを判定するための変化量判定手段とを具備し、前記受信系統制御手段は、電源投入時の未動作状態からの立ち上がりの間に受信信号レベルの変化量が所定値以内に収まるまでの期間、全ての受信系統を動作状態にすることを特徴とする。
【００２０】
この構成によれば、電源投入時の未動作時から動作時の立ち上がり時において、受信信号レベルの変化量が所定値以内に収まるまで、すなわち受信動作が安定の状態になったと判断されるレベルに到達するまで、全ての受信系統を動作状態にしておくので、受信信号レベルの変動幅が大きいことが予想される場合においても、ｎ系統の受信系統を動作させて安定した受信動作が得られ、安定動作に動作に入った以降の動作については上記請求項１から請求項４のいずれかに係る発明の受信装置と同様の効果が得られる。
【００２１】
請求項７に係る発明の受信装置は、請求項１から請求項４のいずれか一項に係る発明の受信装置において、前記受信系統制御手段は、電源投入時の未動作状態からの立ち上がりの間に前記受信信号品質判定手段の判定結果より受信信号品質値が所定値以上になるまでの期間、全ての受信系統を動作状態にすることを特徴とする。
【００２２】
この構成によれば、電源投入時の未動作時から動作時の立ち上がり間において、受信信号品質の検出結果が所定値以上になるまるまで、すなわち受信動作が安定の状態になったと判断されるレベルに到達するまで、全ての受信系統を動作状態にしておくので、受信信号品質が規定の値が得られない可能性がある電源投入時の未動作状態からの立ち上がりの場合においてｎ系統の受信系統を動作させて安定した受信動作を得ながら、安定動作に動作に入った以降の動作については上記請求項１から請求項４のいずれかに係る発明の受信装置と同様の効果が得られる。
【００２３】
請求項８に係る発明の受信装置は、請求項１から請求項４のいずれか一項に係る発明の受信装置において、前記受信系統制御手段は、間欠受信時の未動作状態からの立ち上がりの一定期間において、全ての受信系統を動作状態にすることを特徴とする。
【００２４】
この構成によれば、間欠受信時の未動作状態から動作時の立ち上がりの一定期間、全ての受信系統を動作状態にしておくので、間欠受信時の未動作状態から動作時の立ち上がりの一定期間に受信信号レベルの変動幅が大きいことが予想される場合においても、ｎ系統の受信系統を動作させて安定した受信動作を得ながら、立ち上がりの一定期間後の動作については上記請求項１から請求項４のいずれか一項に係る発明の受信装置と同様の効果が得られる。
【００２５】
請求項９に係る発明の受信装置は、請求項１から請求項４のいずれか一項に係る発明の受信装置において、受信信号レベルの変化量を検出するレベル変化量検出手段と、受信信号レベルの変化量が規定のレベル以内に収束したかを判定するための変化量判定手段とを具備し、前記受信系統制御手段は、間欠受信時の未動作状態からの立ち上がりの間に前記変化量判定手段の判定結果から受信信号レベルの変化量が所定値以内に収まるまでの期間、全ての受信系統を動作状態にすることを特徴とする。
【００２６】
この構成によれば、間欠受信時の未動作状態から動作動作状態の立ち上がり時において、受信信号レベルの変化量が所定値以内に収まるまで、すなわち受信動作が安定の状態になったと判断されるレベルに到達するまで、全ての受信系統を動作状態にしておくので、間欠受信時の未動作状態から動作動作状態の立ち上がり時の受信信号レベルの変動幅が大きいことが予想される場合においても、ｎ系統の受信系統を動作させて安定した受信動作を得ながら、間欠受信時の未動作状態から安定動作に動作に入った以降の動作については上記請求項１から請求項４のいずれか一項に係る発明の受信装置と同様の効果が得られる。
【００２７】
請求項１０に係る発明の受信装置は、請求項１から請求項４のいずれか一項に係る発明の受信装置において、前記受信系統制御手段は、間欠受信時の未動作状態からの立ち上がりの際に、前記受信信号品質判定手段の判定結果より受信信号品質値が所定値以内に収まるまでの期間、全ての受信系統を動作状態にすることを特徴とする。
【００２８】
この構成によれば、間欠受信時の未動作状態から動作動作状態の立ち上がり時において、受信信号品質が所定値以内に収まるまで、すなわち受信動作が安定の状態になったと判断されるレベルに到達するまで全ての受信系統を動作状態にしておくので、受信信号品質が規定の値が得られない可能性がある電源投入時の未動作状態からの立ち上がりの期間にｎ系統の受信系統を動作させて安定した受信動作を得ながら、安定動作に動作に入った以降の動作については上記請求項１から請求項４のいずれか一項に係る発明の受信装置と同様の効果が得られる。
【００２９】
請求項１１に係る発明の無線通信装置は、請求項１から請求項１０のいずれか一項に係る発明の受信装置を具備することを特徴とする。
【００３０】
この構成によれば、受信性能を低下させることなく省電力化できる無線通信装置を提供できる。
【００３１】
請求項１２に係る発明の受信制御方法は、ｎ（ｎ≧２の整数）系統の受信系統を具備する受信装置における受信制御方法であって、受信信号の品質を判定するとともに、各受信系統の受信信号をそれぞれ検波して受信信号レベルを求め、受信信号レベルがｎ−１系統以下でも受信に十分なレベルを確保できる場合又は受信信号品質の判定結果が所定の規定値以上である場合、全受信系統のうち任意のものを非動作にし、当該全受信系統を非動作にした後、受信信号品質の判定結果が規定値以下になると、非動作中の任意の受信系統を動作させることを特徴とする。
【００３２】
この方法によれば、受信信号の状態により、そのレベルが小さくｎ−１以下の系統では受信に十分なレベルが確保できず、また、フェージング環境内での受信時における場合等の受信信号のレベル変動が大きい場合など、受信信号品質が確保できず、ｎ系統の受信系統を動作させておく必要があると判断した場合は、ｎ個全ての受信系統を動作させるので、安定した受信動作を確保することができる。
【００３３】
また、逆に電界の状態が安定し、受信レベル変動が小さい場合で、各々の受信系統毎の受信信号レベル信号や受信信号品質により、ｎ系統の受信系統を動作させておく必要がないと判断した場合は必要でない受信系統を任意に判断し、判断した受信系統を非動作状態にするので、省電力化が図れる。
【００３４】
【発明の実施の形態】
以下、本発明の実施の形態について、図面を参照して詳細に説明する。
【００３５】
（実施の形態１）
図１は、本発明の実施の形態１に係る受信装置の構成を示すブロック図である。なお、この図において、図１７と重複する部分には同一の符号を付す。また、本実施の形態では複数の受信系統を持つ自動利得制御回路として２系統の受信系統を持つ受信回路について説明を行う。
【００３６】
図１において、本実施の形態の受信装置は、アンテナ１０１ａ及び１０１ｂと、高周波帯用のバンドパスフィルタ１０２ａ及び１０２ｂと、低雑音増幅器１０３ａ及び１０３ｂと、高周波より中間周波数帯に周波数変換するためのダウンミキサ１０４ａ及び１０４ｂと、中間周波数帯におけるバンドパスフィルタ１０５ａ及び１０５ｂと、可変利得増幅器１０６ａ及び１０６ｂと、復調器１０７ａ及び１０７ｂと、受信レベルを検波するレベル検波部１０９ａ及び１０９ｂと、各受信系統の受信ブロックのオン／オフの制御信号を生成する受信系統制御部１１０と、各受信系統のベースバンド部にて受信信号の品質を監視する受信信号品質判定部１１１とを備えて構成される。
【００３７】
復調器１０７ａ及び１０７ｂの出力は後段のベースバンドブロック１０８に入力されて音声処理及びデータ処理が施される。レベル検波部１０９ａのレベルの取り込み口は図中符号Ａａで示す部分となるが、図中符号Ａａ、Ｂａ、Ｃａ、Ｄａで示すどの部分から取り込んでも取り込み口以前の回路を常に動作させることにより、同じ効果を得ることができる。同様に検波部１０９ｂにおいてもレベルの取り込み口は、図中符号Ａｂ、Ｂｂ、Ｃｂ、Ｄｂのどの部分からでも同じ効果を得ることができる。
【００３８】
次に、上記構成の受信装置の動作について説明する。
まず、アンテナ１０１ａ及び１０１ｂによって信号（ここでは、例えば２［ＧＨｚ］帯の信号を想定する）が受信される。受信された信号は高周波用バンドパスフィルタ１０２ａ及び１０２ｂによって希望の周波数帯以外の信号成分が減衰させられる。バンドパスフィルタ１０２ａ及び１０２ｂを通過した信号は低雑音増幅器１０３ａ及び１０３ｂによって増幅され、ダウンミキサ１０４ａ及び１０４ｂによって中間周波数帯（例えば３８０［ＭＨｚ］）に周波数変換される。
【００３９】
次いで、中間周波数用バンドパスフィルタ１０５ａ及び１０５ｂにおいて受信希望チャネル成分以外が減衰される。そして、可変利得増幅器１０６ａ及び１０６ｂにおいて、常時ベースバンドブロックに最適なレベルの信号が入力される様に利得制御がなされ、復調器１０７ａ及び１０７ｂに入力された後、復調されてベースバンド信号として以降信号処理がされることになる。
【００４０】
次に、上記実施の形態の動作と制御方法について図２及び図３を参照して説明する。まず、受信信号レベルが十分確保でき、またはフェージング環境内での受信時における場合等の受信信号のレベル変動が小さい場合やトラフィックの状況により周囲の干渉波など、不要電波が少ない場合など、受信信号品質判定部１１０にて予め設定された受信信号品質係数がｚ１以上の値を保っていると、受信信号品質判定部１１０にて受信状況が良いと判定する。
【００４１】
このように受信状況が良いと判断された場合、受信系統制御部１１０にて現状動作している各受信系統より、非動作とするための任意の受信系統を選択する（Ｓ４０２）。このとき、Ｓ４０２にて選択されていない受信系統ではそのまま受信系統の電源をＯＦＦにせず動作を継続するが（Ｓ４０３）、選択された受信系統ではその受信系統のレベル検波信号取り出し口より以降の受信回路の電源をＯＦＦにする（Ｓ４０４）。但し、その状態において、動作している受信系統が１系統のみの場合は１系統の動作を保持する。
【００４２】
以上のように受信信号品質が良く、備えている受信系統を全て動作する必要が無く、任意の受信系統をＯＦＦにしても受信動作に問題が無いと判断された場合には、不必要な受信系統の任意受信ブロックの電源をＯＦＦにして消費電流の低減を図る。
【００４３】
一方、受信信号レベルが小さくｎ−１以下系統では受信に十分なレベルを確保できず、ｎ系統の受信系統を動作させておく必要があると判断された場合またはフェージング環境内での受信時における場合等の受信信号のレベル変動が大きい場合や、トラフィックの状況により、周囲の干渉波など、不要電波が多く、受信信号品質判定部１１１にて予め設定された受信信号品質係数がｚ１未満となると、受信信号品質判定部１１１は受信状況が悪いと判定し、受信系統制御部１１０にて全ての受信系統を選択し、全ての受信系統を動作させることにより、より安定な受信動作を行う（Ｓ４０５）。
【００４４】
すなわち、以上のように受信信号品質が悪く、備えている受信系統を全て動作する必要があると判断された場合、全ての受信系統を動作させることにより、より安定な受信動作を行うことができる。
【００４５】
また、受信系統のＯＮ／ＯＦＦの切換えを行う上で、受信信号品質係数のスレッショルド点ｚ１は、ＯＮ→ＯＦＦの場合はｚ２、また、ＯＦＦ→ＯＮの場合はｚ３（ｚ３＞ｚ２）と言うように、ヒステリシスを持たせる様に設定を行うことにより、スレッショルド付近の切換えによる発振などの動作不具合を無くす効果を得ることができる。
【００４６】
以上説明したように、本実施の形態の受信装置は、電界の状態が安定し、受信レベル変動が小さい場合で、各々の受信系統に設けられたレベル検波部からの受信信号レベル情報や、ベースバンドブロックからの受信信号品質情報により、ｎ系統の受信系統を動作させておく必要がないと判断された場合においては、必要でないと判断された受信系統の受信ブロックの動作をＯＦＦにし、受信部の消費電流の低減を行うという優れた効果を得ることができる。
【００４７】
また、逆に受信信号レベルが小さくｎ−１以下系統では受信に十分なレベルが確保できず、ｎ系統の受信系統を動作させておく必要があると判断された場合又はフェージング環境内での受信時における場合等の受信信号のレベル変動が大きい場合や、トラフィックの状況により、周囲の干渉波など、不要電波が多い場合は、ｎ個全ての受信系統を動作させることによって、安定した受信動作を確保することができる。
【００４８】
（実施の形態２）
次に、本発明の実施の形態２に係る受信装置の動作と制御方法について説明する。なお、本実施の形態に係る受信装置の構成は、図１と同様であるので、説明上必要な場合には図１を用いる。
さて、受信信号レベルが十分確保でき、またはフェージング環境内での受信時における場合等の受信信号のレベル変動が小さい場合や、トラフィックの状況により、周囲の干渉波など、不要電波が少ない場合など、受信信号品質判定部１１１にて予め設定された受信信号品質係数がｚ１以上の値を保っていると、受信信号品質判定部１１１にて受信状況が良いと判定する。
【００４９】
以上の様に受信状況が良いと判断された場合、受信系統制御部１１０にて各受信系統より、現状動作している受信系統の中から、非動作とするための任意の受信系統を選択する（Ｓ５０２）。このときＳ５０２にて選択されていない受信系統ではそのまま受信系統の電源をＯＦＦにせず、動作を継続するが（Ｓ５０３）、選択された受信系統ではその受信系統のレベル検波信号取り出し口より以降の受信回路の電源をＯＦＦにする（Ｓ５０４）。但し、その状態において、動作している受信系統が１系統のみの場合は１系統の動作を保持する。
【００５０】
すなわち、以上のように受信信号品質が良く、現状動作している受信系統を全て動作する必要が無く、任意の受信系統をＯＦＦにしても受信動作に問題が無いと判断された場合、不必要な受信系統の任意の受信ブロックの電源をＯＦＦにし、それに伴う消費電流低減を行うことができる。
【００５１】
一方、受信信号レベルが小さく受信に十分なレベルが確保できず、その状態にて動作させている受信系統より多くの受信系統を動作する必要があると判断された場合や、またはフェージング環境内での受信時における場合等の受信信号のレベル変動が大きい場合や、トラフィックの状況により、周囲の干渉波など、不要電波が多く、受信信号品質判定部１１１にて予め設定された受信信号品質係数がｚ１未満となると、受信信号品質判定部１１１は受信状況が悪いと判定し、受信系統制御部１１０にて任意の受信系統（この場合、複数または１系統のどちらでも同じ効果を得られる）を選択し、選択した受信系統を追加して動作させることにより、より安定な受信動作を行う（Ｓ５０５）。但し、その状態において、全ての受信系統が動作を行っている場合は、その動作を保持する。
【００５２】
すなわち、以上のように受信信号品質が悪く、その状態にて動作させている受信系統より多くの受信系統を動作する必要があると判断された場合、任意の受信系統を追加し、動作させることにより、より安定な受信動作を行うことができる。
【００５３】
また、受信系統のＯＮ／ＯＦＦの切換えを行う上で、受信信号品質係数のスレッショルド点ｚ１は、ＯＮ→ＯＦＦの場合はｚ２、また、ＯＦＦ→ＯＮの場合はｚ３（ｚ３＞ｚ２）と言うように、ヒステリシスを持たせる様に設定を行うことにより、スレッショルド付近の切換えによる発振などの動作不具合を無くす効果を得ることができる。
【００５４】
以上説明したように、本実施の形態の受信装置は、受信信号品質が良く、備えている受信系統を全て動作する必要が無く、任意の受信系統をＯＦＦにしても受信動作に問題が無いと判断された場合、不必要な受信系統の任意の受信ブロックの電源をＯＦＦにし、それに伴う消費電流低減を行うことができる。
【００５５】
また、受信信号品質が悪く、その状態にて動作させている受信系統より多くの受信系統を動作する必要があると判断された場合、任意の受信系統を追加し、動作させることにより、より安定な受信動作を行うことができる。
【００５６】
（実施の形態３）
次に、本発明の実施の形態３に係る受信装置について説明する。
本実施の形態の受信装置は、受信系統制御部１１０として、図５のブロック図に示すように、直前に切り替わった受信系統を記憶しておくための記憶部１１２と、受信ブロックオン／オフ制御するための制御回路１１３とを具備している。
【００５７】
図６は、本実施の形態の受信装置の動作を示すフローチャートである。
まず、受信信号レベルが十分確保でき、またはフェージング環境内での受信時における場合等の受信信号のレベル変動が小さい場合や、トラフィックの状況により、周囲の干渉波など、不要電波が少ない場合など、受信信号品質判定部１１１にて予め設定された受信信号品質係数がｚ１以上の値を保っていると、受信信号品質判定部１１１にて受信状況が良いと判定される。
【００５８】
以上の様に受信状況が良いと判断された場合、受信系統制御部１１０にて現状動作している各受信系統より、非動作とするための任意の受信系統を選択する（Ｓ７０２）。このときＳ７０２にて選択されていない受信系統ではそのまま受信系統の電源をＯＦＦにせず、動作を継続するが（Ｓ７０３）、選択された受信系統では、その受信系統のレベル検波信号取り出し口より以降の受信回路の電源をＯＦＦにする（Ｓ７０４）。但し、その状態において、動作している受信系統が１系統のみの場合は１系統の動作を保持する。
【００５９】
すなわち、以上のように受信信号品質が良く、現状動作している受信系統を全て動作する必要が無く、任意の受信系統をＯＦＦにしても受信動作に問題が無いと判断された場合、不必要な受信系統の任意の受信ブロックの電源をＯＦＦにし、それに伴う消費電流低減を行うことができる。
【００６０】
一方、受信信号レベルが小さく受信に十分なレベルが確保できず、その状態にて動作させている受信系統より多くの受信系統を動作する必要があると判断された場合や、またはフェージング環境内での受信時における場合等の受信信号のレベル変動が大きい場合や、トラフィックの状況により、周囲の干渉波など、不要電波が多く、受信信号品質判定部１１１にて予め設定された受信信号品質係数がｚ１未満となると、受信信号品質判定部１１１は受信状況が悪いと判定し、受信系統制御部１１０にて直前に非動作とした受信系統を記憶するための記憶部１１２より、直前に非動作とした受信系統を選択し、選択した受信系統を追加して動作させることにより、より安定な受信動作を行う（Ｓ７０５）。但し、その状態において、全ての受信系統が動作を行っている場合は、その動作を保持する。
【００６１】
すなわち、以上のように受信信号品質が悪く、その状態にて動作させている受信系統より多くの受信系統を動作する必要があると判断された場合、直前に非動作とした受信系統を再度追加し、動作させることにより、受信信号品質がスレッショルド点以下となる直前の受信信号品質レベルを、誤差が少なく、また最小限の受信系統にて確保を可能とさせることができる。
【００６２】
また、受信系統のＯＮ／ＯＦＦの切換えを行う上で、受信信号品質係数のスレッショルド点ｚ１は、ＯＮ→ＯＦＦの場合はｚ２、また、ＯＦＦ→ＯＮの場合はｚ３（ｚ３＞ｚ２）と言うように、ヒステリシスを持たせる様に設定を行うことにより、スレッショルド付近の切換えによる発振などの動作不具合を無くす効果を得ることができる。
【００６３】
以上説明したように、本実施の形態の受信装置は、受信信号品質が良く、現状動作させている受信系統を全て動作する必要が無く、任意の受信系統をＯＦＦにしても受信動作に問題が無いと判断された場合、不必要な受信系統の任意の受信ブロックの電源をＯＦＦにし、それに伴う消費電流低減を行うことができる。
【００６４】
また、受信信号品質が悪く、その状態にて動作させている受信系統より多くの受信系統を動作する必要があると判断された場合、直前に非動作とした受信系統を再度追加し、動作させることにより、受信信号品質がスレッショルド点以下となる直前の受信信号品質レベルを、誤差が少なく、また最小限の受信系統にて確保を可能とさせることができる。
【００６５】
（実施の形態４）
次に、本発明の実施の形態４に係る受信装置について説明する。
本実施の形態の受信装置は、受信系統制御部１１０として、図７のブロック図に示すように、直前に切り替わった受信系統を記憶しておくための記憶部１１２と、受信ブロックオン／オフ制御するための制御回路１１３と、各受信系統のレベル検波部１０９ａ及び１０９ｂの検波レベルを比較するレベル検波信号比較部１１４とを具備している。
【００６６】
図８は本実施の形態の受信装置の動作を示すフローチャートである。
まず、受信信号レベルが十分確保でき、またはフェージング環境内での受信時における場合等の受信信号のレベル変動が小さい場合や、トラフィックの状況により、周囲の干渉波など、不要電波が少ない場合など、受信信号品質判定部１１１にて予め設定された受信信号品質係数がｚ１以上の値を保っていると、受信信号品質判定部１１１にて受信状況が良いと判定される。
【００６７】
以上の様に受信状況が良いと判断された場合、受信系統制御部１１０にて現状動作している各受信系統より、非動作とするための受信系統を選択する。この時、非動作とするための受信系統は、動作をＯＦＦにしても受信品質に対して最も影響の少ないことが予想される最小のレベルを受信している受信系統をレベル検波信号比較部１１４が選択し、選択した受信系統を非動作とする（Ｓ９０２）。
【００６８】
このとき、Ｓ９０２にて選択されていない受信系統ではそのまま受信系統の電源をＯＦＦにせず、動作を継続するが（Ｓ９０３）、選択された受信系統では、その受信系統のレベル検波信号取り出し口より以降の受信回路の電源をＯＦＦにする（Ｓ９０４）。但し、その状態において、動作している受信系統が１系統のみの場合は１系統の動作を保持する。
【００６９】
すなわち，以上のように受信信号品質が良く、現状動作させている受信系統を全て動作する必要が無く、任意の受信系統をＯＦＦにしても受信動作に問題が無いと判断された場合、動作している受信系統より、最小のレベルを受信している受信系統を選択し、該当の受信ブロックの電源をＯＦＦにし、それに伴う消費電流低減を行うことができる。
【００７０】
一方、受信信号レベルが小さく受信に十分なレベルが確保できず、その状態にて動作させている受信系統より多くの受信系統を動作する必要があると判断された場合や、またはフェージング環境内での受信時における場合等の受信信号のレベル変動が大きい場合や、トラフィックの状況により、周囲の干渉波など、不要電波が多く、受信信号品質判定部１１１にて予め設定された受信信号品質係数がｚ１未満となると、受信信号品質判定部１１１は受信状況が悪いと判定し、全ての受信系統もしくは、任意もしくは直前に非動作とした受信系統のを追加して動作させることにより、より安定な受信動作を行う（Ｓ９０５）。但し、その状態において、全ての受信系統が動作を行っている場合は、その動作を保持する。
【００７１】
すなわち、以上のように受信信号品質が悪く、その状態にて動作させている受信系統より多くの受信系統を動作する必要があると判断された場合、、全ての受信系統もしくは、任意もしくは直前に非動作とした受信系統のを追加して動作させることにより、より安定な受信動作を行う。
【００７２】
また、受信系統のＯＮ／ＯＦＦの切換えを行う上で、受信信号品質係数のスレッショルド点ｚ１は、ＯＮ→ＯＦＦの場合はｚ２、またＯＦＦ→ＯＮの場合はｚ３（ｚ３＞ｚ２）と言うように、ヒステリシスを持たせる様に設定を行うことにより、スレッショルド付近の切換えによる発振などの動作不具合を無くす効果を得ることができる。
【００７３】
以上説明したように、本実施の形態の受信装置は、受信信号品質が良く、現状動作させている受信系統を全て動作する必要が無く、任意の受信系統をＯＦＦにしても受信動作に問題が無いと判断された場合、動作している受信系統より、最小のレベルを受信している受信系統を選択し、該当の受信ブロックの電源をＯＦＦにし、それに伴う消費電流低減を行うことができる。
【００７４】
また、受信信号品質が悪く、その状態にて動作させている受信系統より多くの受信系統を動作する必要があると判断された場合、全ての受信系統もしくは、任意もしくは直前に非動作とした受信系統のを追加して動作させることにより、より安定な受信動作を行う。
【００７５】
（実施の形態５）
次に、本発明の実施の形態５に係る受信装置について説明する。
本実施の形態の受信装置は、受信系統制御部１１０として、図９のブロック図に示すように、受信ブロックオン／オフ制御するための制御回路１１３と、各受信系統のレベル検波部１０９ａ及び１０９ｂの検波レベルを比較するレベル検波信号比較部１１４と、受信装置が電源オンされてからの経過時間の計時を行うタイマ回路１１５と、を具備している。
【００７６】
図１０は本実施の形態の受信装置の動作を示すフローチャートである。
本実施の形態の受信装置では、電源ＯＦＦから電源ＯＮの状態における（すなわち初期状態）、未動作時から動作時の立ち上がりの一定期間について、受信制御を行わず、全ての受信系統を動作させ、さらに一定時間後には定常動作状態に即ち実施の形態１、２、３又は４のいずれかの受信装置と同様の受信制御を行う様に切り替えるようにしている。
【００７７】
本実施の形態の受信装置では、電源が立ち上がると、固定的に全受信系統を動作させると同時に、タイマ回路１１５により所定時間ｔ１［ｓ］の計時を開始する。受信系統制御部１１０はタイマ回路１１５からの出力に基づいて電源オンから所定時間ｔ１［ｓ］経過したか否かを判定する（Ｓ１２０１）。Ｓ１２０１で電源オンからまだ所定時間ｔ１［ｓ］が経過していなければ、全受信系統を動作させる。これにより本受信装置にとって最も安定な受信が行われることとなる。
【００７８】
電源オンから所定時間ｔ１［ｓ］が経過すると定常状態の受信制御動作、すなわち実施の形態１、２、３又は４と同様の受信制御動作を行い、各々の実施の形態で得られる効果を得ることができる（Ｓ１２０３）。
【００７９】
なお、受信系統制御部１１０は全てＭＰＵ（マイクロプロセッサユニット）やＤＳＰ（ディジタルシグナルプロセッサユニット）により構成して、タイマ回路１１５をソフトウェアタイマで実現することもできるし、タイマ回路１１５などをハードウェア回路で構成することも可能である。タイマ回路１１５は電源オン時にパワーオンリセットされて計時を開始する。
【００８０】
このように、本実施の形態の受信装置は、予め電源投入時の未動作時から動作時の立ち上がりの一定期間は全ての受信系統を動作させ、また一定期間後に定常状態の受信制御を行わせるので、電源立ち上げ動作時の周辺環境における受信品質劣化に伴う、同期外れや呼切断が予想される場合においても、これらの確率を下げる効果を得ることができる。さらに、一定期間後は実施の形態１、２、３又は４のいずれかの受信装置と同様の効果を得ることができる。
【００８１】
（実施の形態６）
次に、本発明の実施の形態６に係る受信装置について説明する。
本実施の形態の受信装置は、図１１に示すように、受信系統制御部１１０と、その周辺に受信自動利得制御回路後に設けられたレベル検波出力より、レベル変化量を検出する変化量検出部１１６と、変化量が規定のレベル以内に収束したかを判定するための変化量判定回路１１７とを具備している。
【００８２】
図１２は本実施の形態の受信装置の動作を示すフローチャートである。
本実施の形態の受信装置では、電源ＯＦＦから電源ＯＮの状態における（すなわち初期状態）、未動作時から動作時の立ち上がりにおいて、変化量検出部１１６の検出結果が受信安定の状態になったと判断されるレベルに到達するまで、すなわち、変化量検出部１１６の検出結果である受信レベルの変化量がある規定のレベルｙ内に収まるまで全ての受信系統を強制的に動作させ、さらに上記レベルがｙ内に収まった場合、定常動作状態にすなわち実施の形態１、２、３又は４のいずれかの受信装置と同様の受信制御を行う様に切り替えるようにしている。
【００８３】
すなわち、図１２に示すフローチャートにおいて、制御部１１０は電源ＯＮから、変化量検出部１１６の検出結果である受信レベルの変化量がある一定のレベルｙ内に収まるまでは全ての受信系統の動作をＯＮにし、全ての受信系統にて受信を行えば、これにより本受信装置にとって最も安定な受信が行われることとなる（Ｓ１３０２）。
【００８４】
また、上記レベルがｙ内に収まった場合、定常動作状態にすなわち実施の形態１、２、３又は４のいずれかの受信装置と同様の受信制御を行う様に切り替えるようにすれば、以降は実施の形態１、２、３又は４のいずれかの受信装置と同様の同様の効果を得ることができる（Ｓ１３０３）。
【００８５】
以上説明したように、本実施の形態の受信装置は、予め電源投入時の未動作時から動作時の立ち上がりにおいて、変化量検出部１１６の検出結果である受信レベルの変化量がある一定のレベルｙ内に収まるまでは、固定的に全受信系統を動作させるので、電源立ち上げ動作時の周辺環境における受信品質劣化に伴う、同期はずれや呼切断が予想される場合においても、これらの確率を下げる効果を得ることができる。さらに、受信レベルの変化量がある一定のレベルｙ内に収まり、受信状態が安定した後は実施の形態１、２、３又は４のいずれかの受信装置と同様の効果を得ることができる。
【００８６】
（実施の形態７）
次に、本発明の実施の形態７に係る受信装置について説明する。
本実施の形態の受信装置は、実施の形態１、２、３又は４のいずれかの受信装置と同様に受信系統制御部１１０と受信信号品質判定部１１１とを具備し、受信装置の電源ＯＦＦから電源ＯＮの状態において受信信号品質が規定のレベルに達するまで固定的に全ての受信系統を動作させる。
【００８７】
図１３は本実施の形態の受信装置の動作を示すフローチャートである。
本実施の形態の受信装置では、電源ＯＦＦから電源ＯＮの状態における（すなわち初期状態）、未動作時から動作時の立ち上がりにおいて、受信信号品質判定部１１１において受信安定の状態になったと判断されるレベルに到達するまで、すなわち、受信信号品質判定部１１１の検出結果である受信信号品質値が規定のレベルｘ以上になるまで、全ての受信系統を強制的に動作させ、さらに上記レベルがｘ以上になった場合、定常動作状態に、すなわち実施の形態１、２、３又は４のいずれかの受信装置と同様の受信制御を行う様に切り替えるようにしている。
【００８８】
すなわち、図１３に示すフローチャートにおいて、受信系統制御部１１０は、電源ＯＮから受信信号品質判定部１１１の検出結果である受信信号品質値がｘ以上になるまでは、全ての受信系統の動作をＯＮにし、全ての受信系統にて受信を行えば、これにより本受信装置にとって最も安定な受信が行われることとなる（Ｓ１４０２）。
【００８９】
また、上記レベルがｘ以上になった場合、定常動作状態にすなわち実施の形態１、２、３又は４のいずれかの受信装置と同様の受信制御を行う様に切り替えるようにすれば、以降は実施の形態１、２、３及び４のいずれかの受信装置と同様の同様の効果を得ることができる（Ｓ１４０３）。
【００９０】
以上説明したように、本実施の形態の受信装置は、予め電源投入時の未動作時から動作時の立ち上がりにおいて、受信信号品質値が一定のレベルｘ以上になるまでは固定的に全受信系統を動作させるので、電源立ち上げ動作時の周辺環境における受信品質劣化に伴う同期外れや呼切断が予想される場合においても、これらの確率を下げる効果を得ることができる。さらに受信信号品質値がｘ以上になった場合、受信状態が安定した後は実施の形態１、２、３又は４のいずれかの受信装置と同様の効果を得ることができる。
【００９１】
（実施の形態８）
次に、本発明の実施の形態８に係る受信装置について説明する。
本実施の形態の受信装置は、実施の形態１、２、３及び４のいずれかの受信装置における受信系統制御部１１０として各受信系統のレベル検波部１０９ａ及び１０９ｂの検波レベルを比較するレベル検波信号比較部１１４と、受信装置の間欠受信時における未動作時から動作時の立ち上がりの一定期間の経過時間を計時するタイマ回路１１５と、受信ブロックオン／オフ制御するための制御回路１１３とを具備している。
【００９２】
図１４は、本実施の形態の受信装置の動作を示すフローチャートである。
本実施の形態の受信装置では、間欠受信時の未動作時から動作時の立ち上がりの一定期間について受信制御を行わず、全ての受信系統を動作させ、さらに一定時間後には定常動作状態にすなわち実施の形態１、２、３又は４のいずれかの受信装置と同様の受信制御を行う様に切り替えるようにしている。
【００９３】
本実施の形態の受信装置では、受信装置の間欠受信時の立ち上がり時に、固定的に全受信系統を動作させると同時にタイマ回路１１５により所定時間ｔ２［ｓ］の計時を開始する。受信系統制御部１１０はタイマ回路１１５からの出力に基づいて間欠受信時の立ち上がりから所定時間ｔ２［ｓ］経過したか否かを判定する（Ｓ１５０１）。Ｓ１５０１で間欠受信の立ち上がりからまだ所定時間ｔ２［ｓ］が経過していない時は全受信系統を動作させる。これにより本受信装置にとって最も安定な受信が行われることとなる。間欠受信の立ち上がりから所定時間ｔ２［ｓ］が経過すると、定常状態の受信制御動作、すなわち実施の形態１、２、３又は４のいずれかの受信装置と同様の受信制御動作を行い、各々の実施の形態で得られる効果を得ることができる（Ｓ１５０３）。
【００９４】
なお、受信系統制御部１１０は、全てＭＰＵ（マイクロプロセッサユニット）やＤＳＰ（ディジタルシグナルプロセッサユニット）により構成して、タイマ回路１１５をソフトウェアタイマで実現することもできるし、タイマ回路１１５などをハードウェア回路で構成することも可能である。タイマ回路１１５は電源オン時にパワーオンリセットされて計時を開始する。
【００９５】
以上説明したように、本実施の形態の受信装置は、予め間欠受信時の立ち上がりの未動作時から動作時の立ち上がりの一定期間、全ての受信系統を動作させ、また一定期間後に定常状態の受信制御を行わせるので、間欠受信の未動作時から動作時の立ち上がり時の周辺環境における受信品質劣化に伴う同期外れや呼切断が予想される場合においても、これらの確率を下げる効果を得ることができる。さらに一定期間後は実施の形態１、２、３又は４のいずれかの受信装置と同様の効果を得ることができる。
【００９６】
（実施の形態９）
次に、本発明の実施の形態９に係る受信装置について説明する。
本実施の形態の受信装置は、実施の形態１、２、３又は４のいずれかの受信装置における受信系統制御部１１０と、その周辺に受信自動利得制御回路後に設けられたレベル検波出力より、レベル変化量を検出する変化量検出部１１６と、変化量が規定のレベル以内に収束したかを判定するための変化量判定回路１１７とを具備する。
【００９７】
図１５は本実施の形態の受信装置の動作を示すフローチャートである。
本実施の形態の受信装置では、間欠受信時の立ち上がりにおける未動作時から動作時の立ち上がりにおいて、変化量検出部１１６の検出結果が受信安定の状態になったと判断されるレベルに到達するまで、すなわち変化量検出部１１６の検出結果である受信レベルの変化量がある規定のレベルｙ内に収まるまで全ての受信系統を強制的に動作させ、さらに上記レベルがｙ内に収まった場合、定常動作状態にすなわち実施の形態１、２、３又は４のいずれかの受信装置と同様の受信制御を行う様に切り替えるようにしている。
【００９８】
すなわち、図１５に示すフローチャートにおいて、制御部１１３は間欠受信時の立ち上がりにおける未動作時から動作時において、変化量検出部１１６の検出結果である受信レベルの変化量がある一定のレベルｙ内に収まるまでは全ての受信系統の動作をＯＮにし、全ての受信系統にて受信を行えば、これにより本受信装置にとって最も安定な受信が行われることとなる（Ｓ１６０２）。また、上記レベルがｙ内に収まった場合、定常動作状態にすなわち実施の形態１、２、３又は４の受信装置と同様の受信制御を行う様に切り替えるようにすれば、以降は実施の形態１、２、３及び４のいずれかの受信装置と同様の同様の効果を得ることができる（Ｓ１６０３）。
【００９９】
以上説明したように、本実施の形態の受信装置は、予め間欠受信の未動作時から動作時の立ち上がりにおいて、変化量検出部１１６の検出結果である受信レベルの変化量がある一定のレベルｙ内に収まるまでは固定的に全受信系統を動作させるので、間欠受信時の未動作時から動作時の立ち上げ動作時の周辺環境における受信品質劣化に伴う同期外れや呼切断が予想される場合においてもこれらの確率を下げる効果を得ることができる。さらに、受信レベルの変化量がある一定のレベルｙ内に収まり受信状態が安定した後は実施の形態１、２、３又は４のいずれかの受信装置と同様の効果を得ることができる。
【０１００】
（実施の形態１０）
次に、本発明の実施の形態１０に係る受信装置について説明する。
本実施の形態の受信装置は、実施の形態１、２、３又は４のいずれかの受信装置と同様に、受信系統制御部１１０と受信信号品質判定部１１１とを具備し、間欠受信時の未動作時から動作時の立ち上がり状態において受信信号品質が規定のレベルに達するまで固定的に全ての受信系統を動作させるものである。
【０１０１】
図１６は本実施の形態の受信装置の動作を示すフローチャートである。
本実施の形態の受信装置では、間欠受信時の未動作時から動作時の立ち上がりにおいて、受信信号品質判定部１１１において受信安定の状態になったと判断されるレベルに到達するまで、すなわち受信信号品質判定部１１１の検出結果である受信信号品質値が規定のレベルｘ以上になるまで全ての受信系統を強制的に動作させ、さらに上記レベルがｘ以上になった場合、定常動作状態にすなわち実施の形態１、２、３又は４のいずれかの受信装置と同様の受信制御を行う様に切り替えるようにしている。
【０１０２】
すなわち、図１６に示すフローチャートにおいて、受信系統制御部１１０は間欠受信の立ち上がりにおける未動作時から動作時の立ち上がりにおいて、受信信号品質判定部１１１の検出結果である受信信号品質値がｘ以上になるまでは全ての受信系統の動作をＯＮにし、全ての受信系統にて受信を行えばこれにより本受信装置にとって最も安定な受信が行われることとなる（Ｓ１７０２）。
【０１０３】
また、上記レベルがｘ以上になった場合、定常動作状態にすなわち実施の形態１、２、３又は４のいずれかの受信装置と同様の受信制御を行う様に切り替えるようにすれば、以降は実施の形態１、２、３又は４のいずれかの受信装置と同様の同様の効果を得ることができる（Ｓ１７０３）。
【０１０４】
以上説明したように、本実施の形態の受信装置は、予め間欠受信時立ち上がり時においての未動作時から動作時の立ち上がりにおいて、受信信号品質値が一定のレベルｘ以上になるまでは、固定的に全受信系統を動作させるので、間欠受信時立ち上がり時においての未動作時から動作時の立ち上がりの周辺環境における受信品質劣化に伴う、同期外れや呼切断が予想される場合においても、これらの確率を下げる効果を得ることができる。さらに受信信号品質値がｘ以上になった場合、受信状態が安定した後は実施の形態１、２、３又は４のいずれかの受信装置と同様の効果を得ることができる。
【０１０５】
なお、上記各実施の形態の受信装置は、移動体通信システムに用いられる携帯電話やＰＨＳ（Ｐｅｒｓｏｎａｌ　Ｈａｎｄｙ−Ｐｈｏｎｅ　Ｓｙｓｔｅｍ）などの無線通信装置に用いて好適である。
【０１０６】
【発明の効果】
以上説明したように本発明によれば、受信信号の状態により、そのレベルが小さくｎ−１以下の系統では受信に十分なレベルが確保できず、また、フェージング環境内での受信時における場合等の受信信号のレベル変動が大きい場合など、受信信号品質が確保できず、ｎ系統の受信系統を動作させておく必要があると判断した場合は、ｎ個全ての受信系統を動作させるので、安定した受信動作を確保することができる。また、逆に電界の状態が安定し、受信レベル変動が小さい場合で、各々の受信系統毎の受信信号レベル信号や受信信号品質により、ｎ系統の受信系統を動作させておく必要がないと判断した場合は必要でない受信系統を任意に判断し、判断した受信系統を非動作状態にするので、省電力化が図れる。
【図面の簡単な説明】
【図１】本発明の実施の形態１に係る受信装置の構成を示すブロック図。
【図２】本発明の実施の形態１に係る受信装置の受信系統制御部の構成を示すブロック図。
【図３】本発明の実施の形態１に係る受信装置の受信制御動作を説明するためのフローチャート。
【図４】本発明の実施の形態２に係る受信装置の受信制御動作を説明するためのフローチャート。
【図５】本発明の実施の形態３に係る受信装置の受信系統制御部の構成を示すブロック図。
【図６】本発明の実施の形態３に係る受信装置の受信制御動作を説明するためのフローチャート。
【図７】本発明の実施の形態４に係る受信装置の受信系統制御部の構成を示すブロック図。
【図８】本発明の実施の形態４に係る受信装置の受信制御動作を説明するためのフローチャート。
【図９】本発明の実施の形態５に係る受信装置の受信系統制御部の構成を示すブロック図。
【図１０】本発明の実施の形態５に係る受信装置の受信制御動作を説明するためのフローチャート。
【図１１】本発明の実施の形態６に係る受信装置の受信系統制御部の構成を示すブロック図。
【図１２】本発明の実施の形態６に係る受信装置の受信制御動作を説明するためのフローチャート。
【図１３】本発明の実施の形態７に係る受信装置の受信制御動作を説明するためのフローチャート。
【図１４】本発明の実施の形態８に係る受信装置の受信制御動作を説明するためのフローチャート。
【図１５】本発明の実施の形態９に係る受信装置の受信制御動作を説明するためのフローチャート。
【図１６】本発明の実施の形態１０に係る受信装置の受信制御動作を説明するためのフローチャート。
【図１７】従来の複数の受信系統を持つ受信装置の構成を示すブロック図。
【符号の説明】
１０１ａ、１０１ｂ　アンテナ
１０２ａ、１０２ｂ、１０５ａ、１０５ｂ　バンドパスフィルタ
１０３ａ、１０３ｂ　低雑音増幅器
１０４ａ、１０４ｂ　ダウンミキサ
１０６ａ、１０６ｂ　可変利得増幅器
１０７ａ、１０７ｂ　復調器
１０８　べースバンドブロック
１０９ａ、１０９ｂ　レベル検波部
１１０　受信系統制御部
１１１　受信信号品質判定部
１１２　記憶部
１１３　制御回路
１１４　レベル検波信号比較部
１１５　タイマ回路
１１６　変化量検出部
１１７　変化量判定部
【図１】
2004104669.tif 000003
【図２】
2004104669.tif 000004
【図３】
2004104669.tif 000005
【図４】
2004104669.tif 000006
【図５】
2004104669.tif 000007
【図６】
2004104669.tif 000008
【図７】
2004104669.tif 000009
【図８】
2004104669.tif 000010
【図９】
2004104669.tif 000011
【図１０】
2004104669.tif 000012
【図１１】
2004104669.tif 000013
【図１２】
2004104669.tif 000014
【図１３】
2004104669.tif 000015
【図１４】
2004104669.tif 000016
【図１５】
2004104669.tif 000017
【図１６】
2004104669.tif 000018
【図１７】
2004104669.tif 000019